【手続補正書】
【提出日】平成18年11月1日(2006.11.1)
【手続補正１】
【補正対象書類名】特許請求の範囲
【補正対象項目名】全文
【補正方法】変更
【補正の内容】
【特許請求の範囲】
【請求項１】
犬が食することができる材料から成り、犬が容易に噛み砕けないような硬さを有するように形成されており、直径が約５〜約１０ｍｍで長さが約５０〜約１５０ｍｍである棒状芯材を用意するステップと、
このステップと同時に又は前後して、畜肉又は魚肉をミンチにするステップと、
前記畜肉又は魚肉のミンチを型に入れて、長さが約３０〜約１００ｍｍで幅が約１５〜約５０ｍｍで厚さが約１〜約５ｍｍである略長方形状のシート状肉質片を形成するステップと、
前記シート状肉質片を前記棒状芯材の外周に巻回させて筒状肉質片とするステップと、
前記筒状肉質片を乾燥させることにより、前記筒状肉質片を前記棒状芯材の外周面に強く密着または結着させるステップと、
を含むことを特徴とする、畜肉又は魚肉を原料とする歯茎等強化機能付き棒状ペットフードの製造方法。
【請求項２】
請求項１において、
前記のシート状肉質片を前記棒状芯材の外周に巻回させて筒状肉質片とするステップは、前記筒状肉質片を、前記棒状芯材の端部が前記筒状肉質片よりも所定距離だけ突出するように、前記棒状芯材に巻回させるものである、ことを特徴とする、畜肉又は魚肉を原料とする歯茎等強化機能付き棒状ペットフードの製造方法。
【請求項３】
請求項１又は２において、
前記のシート状肉質片を前記棒状芯材の外周に巻回させて筒状肉質片とするステップは、前記シート状肉質片の第１の辺の近傍部分の上に前記棒状芯材を載置し、前記シート状肉質片の前記第１の辺と対向する第２の辺を前記棒状芯材の外周面を介して前記第１の辺に近接させ、前記第１の辺の端面と前記第２の辺の端面とを接合させるものである、ことを特徴とする、畜肉又は魚肉を原料とする歯茎等強化機能付き棒状ペットフードの製造方法。
【請求項４】
請求項１，２又は３において、
前記棒状芯材を用意するステップは、犬が容易に噛み砕けないような硬さを有すること及び常温での長期保存を可能とするような水分含有率を有している棒状芯材を用意するものである、ことを特徴とする、畜肉又は魚肉を原料とする歯茎等強化機能付き棒状ペットフードの製造方法。
【請求項５】
請求項１，２，３又は４において、
前記乾燥させるステップは、前記筒状肉質片を、前記筒状肉質片が前記棒状芯材よりは柔らかいが犬が複数回噛み続けないと砕けないような硬さを有すること及び常温での長期保存を可能とするような水分含有率を有するように、乾燥させるものである、ことを特徴とする、畜肉又は魚肉を原料とする歯茎等強化機能付き棒状ペットフードの製造方法。
【請求項６】
畜肉又は魚肉を原料とする歯茎等強化機能付き棒状ペットフードであって、
犬が食することができる材料から成り、犬が容易に噛み砕けないような硬さを有すること及び常温での長期保存が可能な水分含有率を有しており、直径が約５〜約１０ｍｍで長さが約５０〜約１５０ｍｍである棒状芯材と、
前記棒状芯材の一部の外周面に巻回させられている筒状肉質片であって、畜肉又は魚肉のミンチから成り、前記棒状芯材よりは柔らかいが犬が複数回噛み続けないと砕けないような硬さを有すること及び常温での長期保存が可能な水分含有率を有しており、長さが約３０〜約１００ｍｍで内径が約５〜約１０ｍｍで厚さが約１〜約５ｍｍである筒状肉質片と、から成り、
前記棒状芯材は、犬の成長又は生体維持のために必要な蛋白質やカルシウムなどの栄養素を含有しており、
前記筒状肉質片は、その端部から前記棒状芯材が所定距離だけ突出するように、前記棒状芯材に結着されている、ことを特徴とする、畜肉又は魚肉を原料とする歯茎等強化機能付き棒状ペットフード。
【手続補正２】
【補正対象書類名】明細書
【補正対象項目名】０００７
【補正方法】変更
【補正の内容】
【０００７】
以上のような課題を解決するための本発明による畜肉（笹身、牛肉、ラム肉など）又は魚肉を原料とする歯茎等強化機能付き棒状ペットフードの製造方法は、犬が食することができる材料から成り、犬が容易に噛み砕けないような硬さを有するように形成されており、直径が約５〜約１０ｍｍで長さが約５０〜約１５０ｍｍである棒状芯材を用意するステップと、このステップと同時に又は前後して、畜肉又は魚肉をミンチにするステップと、前記畜肉又は魚肉のミンチを型に入れて、長さが約３０〜約１００ｍｍで幅が約１５〜約５０ｍｍ（前記棒状芯材の外周の長さに近い寸法かそれより少し長い寸法）で厚さが約１〜約５ｍｍである略長方形状のシート状肉質片を形成するステップと、前記シート状肉質片を前記棒状芯材の外周に巻回させて（巻き付けて）筒状肉質片とするステップと、前記筒状肉質片及び棒状芯材を乾燥させるステップであって、前記筒状肉質片が前記棒状芯材よりは柔らかいが犬が複数回噛み続けないと砕けないような硬さ（犬が噛み砕くのにかなりの時間を要するような硬さ）を有するように且つ常温での長期保存が可能なように、乾燥させるステップと、を含むことを特徴とするものである。
【手続補正３】
【補正対象書類名】明細書
【補正対象項目名】０００８
【補正方法】変更
【補正の内容】
【０００８】
また、本発明による畜肉又は魚肉を原料とする歯茎等強化機能付き棒状ペットフードの製造方法においては、前記のシート状肉質片を前記棒状芯材の外周に巻回させて筒状肉質片とするステップは、前記筒状肉質片を、前記棒状芯材の端部が前記筒状肉質片よりも所定距離だけ突出するように、前記棒状芯材に巻回させるものである、ことが望ましい。
【手続補正４】
【補正対象書類名】明細書
【補正対象項目名】０００９
【補正方法】変更
【補正の内容】
【０００９】
また、本発明による畜肉又は魚肉を原料とする歯茎等強化機能付き棒状ペットフードの製造方法においては、前記のシート状肉質片を前記棒状芯材の外周に巻回させて筒状肉質片とするステップは、前記シート状肉質片の第１の辺の近傍部分の上に前記棒状芯材を載置し、前記シート状肉質片の前記第１の辺と対向する第２の辺を前記棒状芯材の外周面を介して前記第１の辺に近接させ、前記第１の辺の端面と前記第２の辺の端面とを接合させるものである、ことが望ましい。
【手続補正５】
【補正対象書類名】明細書
【補正対象項目名】００１０
【補正方法】変更
【補正の内容】
【００１０】
また、本発明による畜肉又は魚肉を原料とする歯茎等強化機能付き棒状ペットフードは、畜肉（笹身、牛肉、ラム肉など）又は魚肉を原料とする歯茎等強化機能付き棒状ペットフードは、犬が食することができる材料から成り、犬が容易に噛み砕けないような硬さを有するように且つ常温での長期保存が可能なように形成されており、直径が約５〜約１０ｍｍで長さが約５０〜約１５０ｍｍである棒状芯材と、前記棒状芯材の一部の外周面に巻回させられている筒状肉質片であって、畜肉又は魚肉のミンチから成り、前記棒状芯材よりは柔らかいが犬が複数回噛み続けないと砕けないような硬さを有するように且つ常温での長期保存が可能なように形成されており、長さが約３０〜約１００ｍｍで内径が約５〜約１０ｍｍで厚さが約１〜約５ｍｍである筒状肉質片と、から成るものである。
【手続補正６】
【補正対象書類名】明細書
【補正対象項目名】００１１
【補正方法】変更
【補正の内容】
【００１１】
また、本発明による畜肉又は魚肉を原料とする歯茎等強化機能付き棒状ペットフードにおいては、前記棒状芯材は、犬の成長又は生体維持のために必要な蛋白質やカルシウムなどの栄養素を含有している、ことが望ましい。
【手続補正７】
【補正対象書類名】明細書
【補正対象項目名】００１２
【補正方法】変更
【補正の内容】
【００１２】
また、本発明による畜肉又は魚肉を原料とする歯茎等強化機能付き棒状ペットフードにおいては、前記筒状肉質片は、その端部から前記棒状芯材が所定距離だけ突出するように、前記棒状芯材に結着されている、ことが望ましい。
【手続補正８】
【補正対象書類名】明細書
【補正対象項目名】００１３
【補正方法】変更
【補正の内容】
【００１３】
本発明による畜肉又は魚肉を原料とする歯茎等強化機能付き棒状ペットフードは、前述のように、犬が容易に噛み砕けないような硬さを有する棒状芯材と、その外周に巻回させられた畜肉又は魚肉のミンチから成る筒状肉質片であって前記棒状芯材よりは柔らかいが犬が複数回噛み続けないと砕けないような硬さを有する筒状肉質片とを備えているので、ユーザー（飼い主）は、これをペット（飼い犬）に与えることにより、ペットによる畜肉又は魚肉の栄養の摂取のため及びペットの歯茎等強化のためという２つの目的を同時に達成することができる。
【手続補正９】
【補正対象書類名】明細書
【補正対象項目名】００１６
【補正方法】変更
【補正の内容】
【００１６】
また、本発明によるペットフードは、前記棒状芯材の水分含有率が約１０〜約１４％、前記筒状肉質片の水分含有率が約１５〜約１８％としたときは、常温での長期保存が可能で、ユーザーによる取り扱いも容易になる。
【手続補正１０】
【補正対象書類名】明細書
【補正対象項目名】００１９
【補正方法】変更
【補正の内容】
【００１９】
また、本発明において、前記筒状肉質片を、その端部から前記棒状芯材が所定距離だけ突出するように、前記棒状芯材に結着するようにしたときは、前記筒状肉質片と前記棒状芯材とが全体として骨付き肉のような外観を呈することができるので、より興趣に富んだペットフードを提供できるようになる。
【手続補正１１】
【補正対象書類名】明細書
【補正対象項目名】００２０
【補正方法】変更
【補正の内容】
【００２０】
また、本発明による畜肉又は魚肉を原料とする歯茎等強化機能付き棒状ペットフードの製造方法においては、犬が容易に噛み砕けないような硬さを有する棒状芯材を用意し、畜肉又は魚肉のミンチを型に入れて所定サイズの略長方形状のシート状肉質片を形成し、このシート状肉質片を前記棒状芯材の一部の外周面に巻回させて筒状肉質片とし、これを、前記棒状芯材よりは柔らかいが犬が複数回噛み続けないと砕けないような硬さ（犬が噛み砕くのにかなりの時間を要するような硬さ）を有するように且つ常温での長期保存が可能なように（例えばその水分含有率が約１５〜約１８％などに調整して）乾燥させるようにしている（なお、この乾燥の過程で、前記筒状肉質片は、前記棒状芯材の外周面に強く密着・結着する）。このような本発明による歯茎等強化機能付き棒状ペットフードの製造方法は、容易に機械化・自動化することが可能であり、この機械化・自動化により人件費の高い日本国内でも低コストで製造することが可能である。したがって、本発明によれば、鳥インフルエンザの世界的流行により海外からの鶏肉加工品の輸入が制限・禁止される状況下でも、日本国内で低コストで安定的に製造・販売することができるようになる。